(57)【要約】【課題】視聴したい番組を簡易な操作で探すことが可能であるとともに、探し出した番組への表示切り替えを迅速に行うことが可能なデジタル放送受信装置を提供する。【解決手段】本発明のデジタル放送受信装置は、チャンネルの番組情報を表示するための第１選択手段と、チャンネルの映像を表示するための第２選択手段とを備えている。表示制御部は、どちらのチャンネル選択手段によりチャンネルが選択されたかにより、表示制御の内容を変更する。第１選択手段は、受信可能なチャンネルに割り当てられた領域、例えばボタンスイッチの表面にタッチする操作を監視する。第２選択手段は、受信可能なチャンネルに割り当てられたボタンスイッチの押下を監視する。このためユーザは、ボタンスイッチに対する操作の違いにより、第１選択手段と第２選択手段とを使い分けることができる。【選択図】図１
2010028449.tif 000002
【特許請求の範囲】
【請求項１】
デジタル放送波を受信する受信手段と、
前記受信手段が受信可能な複数のチャンネルの中からチャンネルを選択するチャンネル選択手段と、
前記受信手段が受信可能なチャンネルの番組情報を取得する番組情報取得手段と、
前記受信手段により受信された映像を表示する表示手段と
を備えたデジタル放送受信装置において、
前記チャンネル選択手段が、チャンネルを選択する第１選択手段及び第２選択手段を備え、
前記第１選択手段によりチャンネルが選択された場合に、前記番組情報取得手段が取得する番組情報の中から、選択された前記チャンネルの番組情報を抽出して前記表示手段に表示するよう制御し、前記第２選択手段によりチャンネルが選択された場合に、選択されたチャンネルの映像を前記表示手段に表示するよう制御する表示制御部を備えたこと
を特徴とするデジタル放送受信装置。
【請求項２】
前記チャンネル選択手段が、ボタンスイッチと、前記ボタンスイッチへの接触を検知するタッチセンサとを備え、
前記第１選択手段が、受信可能なチャンネルに割り当てられた前記ボタンスイッチへの接触を前記タッチセンサにより検知し、検知した前記ボタンスイッチに対応するチャンネルを選択し、
前記第２選択手段が、受信可能なチャンネルに割り当てられた前記ボタンスイッチの押下を検知し、検知した前記ボタンスイッチに対応するチャンネルを選択すること
を特徴とする請求項１に記載のデジタル放送受信装置。
【請求項３】
前記チャンネル選択手段が、予め定められた領域への接触を検知するタッチセンサを備え、
前記第１選択手段が、受信可能なチャンネルに割り当てられた前記領域への接触を前記タッチセンサにより検知し、検知した前記領域に対応するチャンネルを選択し、
前記第２選択手段が、受信可能なチャンネルに割り当てられた前記領域が接触状態から非接触状態へ変化したことを検知し、検知した前記領域に対応するチャンネルを選択すること
を特徴とする請求項１に記載のデジタル放送受信装置。
【請求項４】
前記第１選択手段が、受信可能なチャンネルに割り当てられた前記ボタンスイッチ又は前記領域への接触を検知し、且つ接触検知位置の変化を検知した場合に、変化後の接触検知位置の前記ボタンスイッチ又は前記領域に対応するチャンネルを選択すること
を特徴とする請求項２又は請求項３に記載のデジタル放送受信装置。
【請求項５】
前記チャンネル選択手段が、ボタンスイッチを備え、
前記第１選択手段が、受信可能なチャンネルに割り当てられた前記ボタンスイッチが予め定められた時間より短い時間だけ押下されたことを検知し、検知した前記ボタンスイッチに対応するチャンネルを選択し、
前記第２選択手段が、受信可能なチャンネルに割り当てられた前記ボタンスイッチが予め定められた時間を超えて押下されたことを検知し、検知した前記ボタンスイッチに対応するチャンネルを選択すること
を特徴とする請求項１に記載のデジタル放送受信装置。
【請求項６】
前記チャンネル選択手段が、ボタンスイッチを備え、
前記第１選択手段が、受信可能なチャンネルに割り当てられた前記ボタンスイッチが１回押下されたことを検知し、検知した前記ボタンスイッチに対応するチャンネルを選択し、
前記第２選択手段が、受信可能なチャンネルに割り当てられた前記ボタンスイッチが予め定められた時間間隔より短い間隔で複数回押下されたことを検知し、検知した前記ボタンスイッチに対応するチャンネルを選択すること
を特徴とする請求項１に記載のデジタル放送受信装置。
【請求項７】
前記表示手段と、前記チャンネル選択手段とが、前記タッチセンサ及び表示装置が一体となったタッチパネルにより、表示及び選択指示の検知を行うこと
を特徴とする請求項４に記載のデジタル放送受信装置。
【請求項８】
前記表示制御手段が、前記第１選択手段によりチャンネルが選択された場合に、前記選択時において前記表示手段に表示されていた映像の表示を継続させつつ、前記第１選択手段により選択されたチャンネルの番組情報を前記表示手段に表示するように制御すること
を特徴とする請求項１に記載のデジタル放送受信装置。
【請求項９】
前記表示制御手段が、前記表示手段に映像と前記番組情報とを重ねて表示する際に、前記番組情報を半透明で表示するように制御すること
を特徴とする請求項８に記載のデジタル放送受信装置。
【請求項１０】
前記表示制御手段が、前記番組情報として番組タイトルを前記表示手段に表示するように制御すること
を特徴とする請求項１に記載のデジタル放送受信装置。
【請求項１１】
前記表示制御手段が、前記番組情報の表示が開始されてから予め定められた時間が経過したことを検知した際に、前記番組情報の表示を停止するように制御すること
を特徴とする請求項１に記載のデジタル放送受信装置。
【請求項１２】
前記番組情報取得手段が、前記受信手段が受信する放送波から前記番組情報を取得すること
を特徴とする請求項１に記載のデジタル放送受信装置。
【請求項１３】
無線通信網に接続して通信を行う無線通信手段を備え、
前記番組情報取得手段が、前記無線通信網を用いて前記番組情報を取得すること
を特徴とする請求項１に記載のデジタル放送受信装置。
【請求項１４】
前記番組情報取得手段が、予め定められた時間間隔おきに前記番組情報を取得すること
を特徴とする請求項１に記載のデジタル放送受信装置。
【請求項１５】
コンピュータを用いて映像を表示する制御方法であって、
デジタル放送波を受信する受信ステップと、
前記受信ステップにおいて受信可能な複数のチャンネルの中からチャンネルを選択するチャンネル選択ステップと、
前記受信ステップにおいて受信可能なチャンネルの番組情報を取得する番組情報取得ステップと、
前記受信ステップにより受信された映像を表示する表示ステップと
を備えた制御方法において、
前記チャンネル選択ステップが、チャンネルを選択する第１選択ステップ及び第２選択ステップを備え、
前記第１選択ステップによりチャンネルが選択された場合に、選択されたチャンネルの番組情報を前記番組情報取得ステップにより取得して前記表示ステップにより表示するよう制御し、前記第２選択ステップ手段によりチャンネルが選択された場合に、選択されたチャンネルの映像を前記表示ステップにより表示するよう制御する表示制御ステップを備えたこと
を特徴とする制御方法。
【請求項１６】
請求項１〜請求項１４のいずれかに記載のデジタル放送受信装置を動作させる制御プログラムであって、
コンピュータを前記の各手段として機能させるための制御プログラム。
【請求項１７】
コンピュータが読み取り可能な記録媒体であり、請求項１６に記載の制御プログラムを記録した記録媒体。
【請求項１８】
請求項１〜請求項１４のいずれかに記載のデジタル放送受信装置を含む携帯電話装置。
【発明の詳細な説明】
【技術分野】
【０００１】
本発明は、デジタル放送の受信に用いられるデジタル放送受信装置に関するものであり、特にチャンネル切り替えを行うための操作部を備えたデジタル放送受信装置に関する。
【背景技術】
【０００２】
近年、携帯電話機（＝携帯電話装置）の性能の進歩、特にその多機能化は著しく、携帯型のコンピュータに近い性能のものが実用化されている。携帯電話機の中には、電話機能に加えて、インターネットアクセス機能や、ワンセグ放送を受信するテレビジョン受像機能（以下、「ＴＶ機能」という）が備えられているものがある。
【０００３】
携帯電話機のＴＶ機能の利用形態としては、例えば電車やバス等の交通機関利用中や、待ち合わせ場所等の外出先で利用することが多い。つまりユーザは、予め視聴しようと考えている番組を視聴する目的で、ＴＶ機能を利用することは少ない。むしろ、時間が空いている時に、興味のある番組が放送されているか探し、放送している場合に視聴するといった利用形態が多い。このような利用形態では、チャンネルを順に切り替える等して、見たい番組を探す必要がある。
【０００４】
上記に関連して特許文献１には、テンキーをチャンネル選局ボタンとして機能させることが可能な携帯電話装置が開示されている。ユーザは、チャンネルが割り当てられた数字キーを順に押して、数字キーに割り当てられたチャンネルの放送を受信することにより、表示された映像を確認して見たい番組を探すことができる。
【０００５】
また特許文献２には、現在表示しているチャンネルの映像を表示させ続けた状態で、数字キーに割り当てられたチャンネルを選択することで、チャンネルに対応付けられた番組情報を表示させる裏番組モードを備えたデジタル放送受信装置が開示されている。このデジタル放送受信装置は、予め電子番組情報を取得しておくことで、チャンネルに対応付けられた数字キーに対する操作に応じて、映像表示中のチャンネルを替えることなく、操作された数字キーに対応するチャンネルの番組内容を表示することができる。
【特許文献１】特開２００５−４５３５０号公報
【特許文献２】特開２００６−１３９６７号公報
【発明の開示】
【発明が解決しようとする課題】
【０００６】
しかしながら特許文献１に記載の携帯電話装置のようなデジタル放送受信装置は、チャンネルを選択してから実際に映像が表示されるまでに、数秒の時間がかかるものが多い。従って、数字キーを順に押して見たい番組を探す場合、多くの時間がかかってしまうという問題がある。
【０００７】
また、特許文献２に記載のデジタル放送受信装置では、番組内容を表示させるためには、予め裏番組情報を表示するモードに切り替えておく必要がある。従って見たい番組が見つかったとしても、元の番組切り替えモードに戻って、再度見たい番組が対応付けられたチャンネルを選択する必要がある。これは操作が煩雑になるとともに、直感的に分かりづらいという問題がある。
【０００８】
本発明は、上記問題点に鑑みてなされたものであり、その目的は、視聴したい番組を簡易な操作で探すことが可能であるとともに、探し出した番組への表示切り替えを迅速に行うことが可能なデジタル放送受信装置を提供することにある。
【課題を解決するための手段】
【０００９】
上記目的を達成するために本発明のデジタル放送受信装置は、デジタル放送波を受信する受信手段と、前記受信手段が受信可能な複数のチャンネルの中からチャンネルを選択するチャンネル選択手段と、前記受信手段が受信可能なチャンネルの番組情報を取得する番組情報取得手段と、前記受信手段により受信された映像を表示する表示手段とを備えたデジタル放送受信装置において、前記チャンネル選択手段が、チャンネルを選択する第１選択手段及び第２選択手段を備え、前記第１選択手段によりチャンネルが選択された場合に、前記番組情報取得手段が取得する番組情報の中から、選択された前記チャンネルの番組情報を抽出して前記表示手段に表示するよう制御し、前記第２選択手段によりチャンネルが選択された場合に、選択されたチャンネルの映像を前記表示手段に表示するよう制御する表示制御部を備えたことを特徴としている。
【００１０】
この構成によると、チャンネル選択手段が、チャンネルの番組情報を表示するための第１選択手段と、チャンネルの映像を表示するための第２選択手段とを備えている。表示制御部は、どちらのチャンネル選択手段によりチャンネルが選択されたかにより、表示制御の内容を変更する。このためユーザは、番組情報を表示するか映像を表示するかのモード切り替えを行うことなく、各チャンネルの番組情報を確認できる。従って、簡易な操作で、素早く見たい番組を探すことが可能である。
【００１１】
また上記目的を達成するために本発明のデジタル放送受信装置は、前記チャンネル選択手段が、ボタンスイッチと、前記ボタンスイッチへの接触を検知するタッチセンサとを備え、前記第１選択手段が、受信可能なチャンネルに割り当てられた前記ボタンスイッチへの接触を前記タッチセンサにより検知し、検知した前記ボタンスイッチに対応するチャンネルを選択し、前記第２選択手段が、受信可能なチャンネルに割り当てられた前記ボタンスイッチの押下を検知し、検知した前記ボタンスイッチに対応するチャンネルを選択することを特徴としている。
【００１２】
この構成によると、チャンネル選択手段はボタンスイッチと、ボタンスイッチにユーザの指等が接触したことを検知するタッチセンサとを備えている。第１選択手段は、受信可能なチャンネルに割り当てられた領域、例えばボタンスイッチの表面にタッチする操作を監視する。第２選択手段は、受信可能なチャンネルに割り当てられたボタンスイッチの押下を監視する。このためユーザは、ボタンスイッチに対する操作の違いにより、第１選択手段と第２選択手段とを使い分けることができる。また、接触した状態から押下という一連の操作により、各チャンネルの番組情報の表示と映像の切り替えとを連続して行うことができる。
【００１３】
また上記目的を達成するために本発明のデジタル放送受信装置は、前記チャンネル選択手段が、予め定められた領域への接触を検知するタッチセンサを備え、前記第１選択手段が、受信可能なチャンネルに割り当てられた前記領域への接触を前記タッチセンサにより検知し、検知した前記領域に対応するチャンネルを選択し、前記第２選択手段が、受信可能なチャンネルに割り当てられた前記領域が接触状態から非接触状態へ変化したことを検知し、検知した前記領域に対応するチャンネルを選択することを特徴としている。
【００１４】
この構成によると、チャンネル選択手段はタッチセンサであり、第１選択手段は、受信可能なチャンネルに割り当てられた領域にタッチする操作を監視する。また第２選択手段は、受信可能なチャンネルに割り当てられた領域からタッチアップ、つまり指を離す等により接触状態を解除する操作を監視する。ボタンスイッチに対する操作の違いにより、第１選択手段と第２選択手段とを使い分けることができる。また、タッチからタッチアップという一連の操作により、各チャンネルの番組情報の表示と映像の切り替えとを連続して行うことができる。
【００１５】
また上記目的を達成するために本発明のデジタル放送受信装置は、前記第１選択手段が、受信可能なチャンネルに割り当てられた前記ボタンスイッチ又は前記領域への接触を検知し、且つ接触検知位置の変化を検知した場合に、変化後の接触検知位置の前記ボタンスイッチ又は前記領域に対応するチャンネルを選択することを特徴としている。
【００１６】
この構成によると、ユーザがボタン表面等の所定領域をタッチし、且つタッチしたまま動かす、いわゆるドラッグ動作を行った際に、ドラッグ動作によりタッチされた領域に対応するチャンネルの番組情報を表示手段に表示する。このためユーザは、ボタンを一つ一つ押下する場合と比較して、簡易且つ素早い動作で番組情報を確認することができる。
【００１７】
また上記目的を達成するために本発明のデジタル放送受信装置は、前記チャンネル選択手段が、ボタンスイッチを備え、前記第１選択手段が、受信可能なチャンネルに割り当てられた前記ボタンスイッチが予め定められた時間より短い時間だけ押下されたことを検知し、検知した前記ボタンスイッチに対応するチャンネルを選択し、前記第２選択手段が、受信可能なチャンネルに割り当てられた前記ボタンスイッチが予め定められた時間を超えて押下されたことを検知し、検知した前記ボタンスイッチに対応するチャンネルを選択することを特徴としている。
【００１８】
この構成によると、チャンネル選択手段はボタンスイッチを含み、第１選択手段は、受信可能なチャンネルに割り当てられたボタンスイッチを早押しする操作を監視する。また第２選択手段は、受信可能なチャンネルに割り当てられたボタンスイッチを長押しする操作を監視する。このためユーザは、ボタンスイッチに対する操作の違いにより、第１選択手段と第２選択手段とを使い分けることができる。
【００１９】
また上記目的を達成するために本発明のデジタル放送受信装置は、前記チャンネル選択手段が、ボタンスイッチを備え、前記第１選択手段が、受信可能なチャンネルに割り当てられた前記ボタンスイッチが１回押下されたことを検知し、検知した前記ボタンスイッチに対応するチャンネルを選択し、前記第２選択手段が、受信可能なチャンネルに割り当てられた前記ボタンスイッチが予め定められた時間間隔より短い間隔で複数回押下されたことを検知し、検知した前記ボタンスイッチに対応するチャンネルを選択することを特徴としている。
【００２０】
この構成によると、チャンネル選択手段はボタンスイッチを含み、第１選択手段は、受信可能なチャンネルに割り当てられたボタンスイッチを１回押下する操作を監視する。また第２選択手段は、受信可能なチャンネルに割り当てられたボタンスイッチを複数回押下する操作、例えばダブルクリックを監視する。このためユーザは、ボタンスイッチに対する操作の違いにより、第１選択手段と第２選択手段とを使い分けることができる。
【００２１】
また上記目的を達成するために本発明のデジタル放送受信装置は、前記表示手段と、前記チャンネル選択手段とが、前記タッチセンサ及び表示装置が一体となったタッチパネルにより、表示及び選択指示の検知を行うことを特徴としている。
【００２２】
この構成によると、既存のタッチパネルを用いて、表示手段及びチャンネル選択手段の両方を実現することができる。
【００２３】
また上記目的を達成するために本発明のデジタル放送受信装置は、前記表示制御手段が、前記第１選択手段によりチャンネルが選択された場合に、前記選択時において前記表示手段に表示されていた映像の表示を継続させつつ、前記第１選択手段により選択されたチャンネルの番組情報を前記表示手段に表示するように制御することを特徴としている。
【００２４】
この構成によると、第１選択手段によりチャンネルが選択された場合、現在表示しているチャンネルの映像を表示させ続けた状態で、第１選択手段により選択されたチャンネルに対する番組情報を表示手段に表示する。このためユーザは、表示中の番組の視聴を行いつつ、各チャンネルのチャンネル情報を確認することができる。
【００２５】
また上記目的を達成するために本発明のデジタル放送受信装置は、前記表示制御手段が、前記表示手段に映像と前記番組情報とを重ねて表示する際に、前記番組情報を半透明で表示するように制御することを特徴としている。
【００２６】
この構成によると、表示制御手段は、映像と番組情報を重ねて表示する際に、番組情報を半透明で表示する。このため、表示中の番組の視聴を行いつつチャンネル情報を確認する際に、番組情報を含む映像が視聴の妨げとなりにくい。
【００２７】
また上記目的を達成するために本発明のデジタル放送受信装置は、前記表示制御手段が、前記番組情報として番組タイトルを前記表示手段に表示するように制御することを特徴としている。
【００２８】
この構成によると、表示制御手段は、番組情報として番組タイトルを表示する。このためユーザは、各チャンネルで放送されている番組タイトルを見ながら、見たい番組を探すことができる。
【００２９】
また上記目的を達成するために本発明のデジタル放送受信装置は、前記表示制御手段が、前記番組情報の表示が開始されてから予め定められた時間が経過したことを検知した際に、前記番組情報の表示を停止するように制御することを特徴としている。
【００３０】
この構成によると、表示制御手段は、番組情報を表示してから所定の時間が経過すると、番組情報の表示を消す。このため、表示させた番組情報をユーザが消すための操作が不要となり、ユーザの使い勝手が向上する。
【００３１】
また上記目的を達成するために本発明のデジタル放送受信装置は、前記番組情報取得手段が、前記受信手段が受信する放送波から前記番組情報を取得することを特徴としている。
【００３２】
この構成によると、番組情報取得手段は、受信手段が受信する放送波からチャンネルの番組情報を取得する。このため、番組情報の取得を容易に行うことができる。
【００３３】
また上記目的を達成するために本発明のデジタル放送受信装置は、無線通信網に接続して通信を行う無線通信手段を備え、前記番組情報取得手段が、前記無線通信網を用いて前記番組情報を取得することを特徴としている。
【００３４】
この構成によると、無線アンテナ等の無線通信手段を備えている。番組情報取得手段は、無線通信手段を使用し、無線通信網を介してチャンネルの番組情報を取得する。このため、番組情報の取得を容易に行うことができる。
【００３５】
また上記目的を達成するために本発明のデジタル放送受信装置は、前記番組情報取得手段が、予め定められた時間間隔おきに前記番組情報を取得することを特徴としている。
【００３６】
この構成によると、番組情報取得手段は、定期的にチャンネルの番組情報を取得して更新する。このため、ユーザによるチャンネル操作を検知した後に番組情報を取得する必要がないので、番組情報の表示をより早く行うことができる。
【００３７】
また上記目的を達成するために本発明の制御方法は、コンピュータを用いて映像を表示する制御方法であって、デジタル放送波を受信する受信ステップと、前記受信ステップにおいて受信可能な複数のチャンネルの中からチャンネルを選択するチャンネル選択ステップと、前記受信ステップにおいて受信可能なチャンネルの番組情報を取得する番組情報取得ステップと、前記受信ステップにより受信された映像を表示する表示ステップとを備えた制御方法において、前記チャンネル選択ステップが、チャンネルを選択する第１選択ステップ及び第２選択ステップを備え、前記第１選択ステップによりチャンネルが選択された場合に、選択されたチャンネルの番組情報を前記番組情報取得ステップにより取得して前記表示ステップにより表示するよう制御し、前記第２選択ステップ手段によりチャンネルが選択された場合に、選択されたチャンネルの映像を前記表示ステップにより表示するよう制御する表示制御ステップを備えたことを特徴としている。
【００３８】
この構成によると、上記のデジタル放送受信装置と同様に、番組情報を表示するか映像を表示するかのモードを切り替える必要がなく、簡易な操作で、素早く見たい番組を探すことが可能となる。
【００３９】
また上記目的を達成するために本発明の制御プログラムは、請求項１〜請求項１４のいずれかに記載のデジタル放送受信装置を動作させる制御プログラムであって、コンピュータを前記の各手段として機能させる制御プログラムである。
【００４０】
また上記目的を達成するために本発明の記録媒体は、コンピュータが読み取り可能な記録媒体であり、請求項１６に記載の制御プログラムを記録した記録媒体である。
【００４１】
この構成によると、上記デジタル放送受信装置は、プログラムをコンピュータに実行させることによって実現可能である。具体的には、本発明に係るプログラムは、上記いずれかの構成のデジタル放送受信装置の各手段としてコンピュータを動作させるプログラムであり、本発明に係る記録媒体には、当該プログラムが記録されている。これらのプログラムがコンピュータによって実行されると、当該コンピュータは、上記デジタル放送受信装置として動作する。従って、上記デジタル放送受信装置と同様に、番組情報を表示するか映像を表示するかのモードを切り替える必要がなく、簡易な操作で、素早く見たい番組を探すことが可能となる。
【００４２】
また上記目的を達成するために本発明の携帯電話装置は、請求項１〜請求項１４のいずれかに記載のデジタル放送受信装置を含む携帯電話装置である。
【００４３】
この構成によると、上記いずれかの構成のデジタル放送受信装置を携帯電話装置に組み込むことで、番組情報を表示するか映像を表示するかのモードを切り替える必要がなく、簡易な操作で、素早く見たい番組を探すことが可能な携帯電話装置を提供することができる。
【発明の効果】
【００４４】
本発明のデジタル放送受信装置によれば、第１選択手段と第２選択手段との複数の選択手段を備えているため、番組情報を表示するか映像を表示するかのモードを切り替える必要がなく、簡易な操作で、素早く見たい番組を探すことが可能である。また、探し出した番組を視聴するためのチャンネル切り替えを、迅速に行うことができる。このため、デジタル放送受信装置の使い勝手の向上を図ることができる。
【発明を実施するための最良の形態】
【００４５】
以下に、本発明の一実施形態に係るデジタル放送受信装置について、図面を参照しつつ説明する。なお、以下の図面及び説明において、同一の部材には同一の参照番号を付してある。それらの名称及び機能も同一である。従ってそれらについての詳細な説明は繰り返さない。また、ここで示す実施形態は一例であり、本発明はここに示す実施形態に限定されるものではない。
【００４６】
[実施の形態１]
〈１−１．携帯電話機の装置構成について〉
ここで、本発明の第一の実施形態に係る携帯電話機２０（＝デジタル放送受信装置、携帯電話装置）の装置構成を、図２〜図６を用いながら説明する。
【００４７】
図２は、デジタル放送受信機能を備えた携帯通信端末装置としての携帯電話機２０の概観図である。同図に示すとおり、本実施の形態に係るデジタル放送受信装置は、携帯電話機２０に内蔵されていることを特徴としている。すなわち、携帯電話機２０は、ＴＶの放送信号を受信し再生するＴＶ機能を備えている。
【００４８】
図３は、本実施形態の携帯電話機２０の要部のハードウェア構成を示すブロック図である。図示のように、携帯電話機２０は、アンテナ４４（＝無線通信手段）と、アンテナ４６（＝受信手段）と、主制御部１００（＝チャンネル選択手段、表示制御部）と、通信制御部２００（＝無線通信手段）と、音声入力部４０と、音声出力部４２と、操作部１３０（＝チャンネル選択手段）と、表示部１１４（＝表示手段）と、リンガ１１６と、記憶部１２０（＝記録媒体）と、ＴＶ受信部１５０（＝受信手段）と、音声処理部１８０と、ベースバンド処理部１８２と、ＲＦ処理部１８４と、回路閉結部１８６と、着信信号検出部１８８とを含む。
【００４９】
主制御部１００は、携帯電話機２０内の各種構成を統括的に制御するものである。主制御部１００の機能は、ＲＡＭ（Random Access Memory）やフラッシュメモリ等の記録素子に記録されたプログラム（＝制御プログラム）をＣＰＵ（Central Processing Unit）が実行することによって実現される。なお、主制御部１００の詳細については後述する。
【００５０】
音声処理部１８０は、音声入力部４０からの音声信号を所定の音声データに変換して、ベースバンド処理部１８２に送信するとともに、ベースバンド処理部１８２からの音声データを音声信号に変換して音声出力部４２に送信するものである。具体的には、音声処理部１８０は、Ａ／Ｄ変換器、Ｄ／Ａ変換器、アンプ、音声コーデック回路等を備えるオーディオインタフェース（オーディオＩ／Ｆ）である。
【００５１】
音声入力部４０は、外部から入力された音波を、電気信号である音声信号に変換して音声処理部１８０に送信するものである。具体的には、音声入力部４０はマイクロフォンを備える構成である。
【００５２】
音声出力部４２は、音声処理部１８０からの音声信号を音波に変換して外部に出力するものである。具体的には、音声出力部４２は、レシーバ、スピーカ、音声出力用コネクタ等を備える構成である。通常、通話を行う場合にはレシーバが利用され、着信の報知やテレビ電話を行う場合にはスピーカが利用される。また、音楽やＴＶ番組を視聴する場合には、周囲の人々に配慮して、音声出力用コネクタにヘッドホンが接続される。なお、音声出力部４２は、レシーバ、スピーカ、及び音声出力用コネクタの全てを備えている必要はなく、これらの少なくとも１つを備えていればよい。
【００５３】
操作部１３０は、携帯電話機２０の表面に設けられた操作ボタン１１０（＝ボタンスイッチ、第２選択手段）と接触センサ１１２（＝タッチセンサ、第１選択手段）とを含む入力デバイスである。ユーザによって操作されると、操作データを作成して主制御部１００に送信する。具体的には、操作ボタン１１０はボタンスイッチ等、接触センサ１１２は静電容量式タッチパネル等を備える構成である。
【００５４】
表示部１１４は、主制御部１００から映像データを受信し、受信した映像データに基づいて表示画面に映像を表示するものである。具体的には、表示部１１４は、ＬＣＤ（Liquid Crystal Display）、ＰＤＰ（Plasma Display Panel）、ＥＬ（Electorluminescence）ディスプレイ等の表示素子と、受信した映像データに基づいて表示素子を駆動するドライバ回路とを備える構成である。
【００５５】
リンガ１１６は、主制御部１００からの指示に基づき、ユーザへの報知を行うものである。リンガ１１６が行う報知の例としては、音声出力部４２から呼び出し音を出力させたり、偏心モータ等の振動素子を用いて携帯電話機２０を振動させたり、ＬＥＤ（Light Emitting Diode）等の発光素子を用いて発光させたりすることが挙げられる。なお、リンガ１１６は、音声出力部４２または表示部１１４で代用することもできる。
【００５６】
記憶部１２０は、各種データ及びプログラムを記録するものである。記憶部１２０の例としては、主制御部１００が動作するときに必要なプログラムや、通信制御データ等の固定データを記録する、読み出し専用の半導体メモリであるＲＯＭ（Read Only Memory）が挙げられる。また、バーコード認識や通信に関するデータ、演算に使用するデータ、及び演算結果等を一時的に記録する、いわゆるワーキングメモリとしてのＲＡＭが挙げられる。また、各種の設定データ、撮影映像データ、電子メールデータ等を記録する書き換え可能な不揮発性メモリ、例えばフラッシュメモリ等が挙げられる。
【００５７】
回路閉結部１８６は、所定の制御信号に応答して、アンテナ４４を介した通信回線のオン／オフを制御するためのものである。ベースバンド処理部１８２は、基地局との安全な信号の授受を行うために、ＲＦ処理部１８４に与える信号及びＲＦ処理部１８４を介して受ける信号に所定の信号処理を施すためのものである。
【００５８】
ＲＦ処理部１８４は、回路閉結部１８６及びアンテナ４４を介して基地局との間で授受する信号の強さの制御を行うためのものである。着信信号検出部１８８は、アンテナ４４を介して基地局から受信した信号に基づき、別の拠点にある他の携帯電話機からの着信を検出して、着信検出信号を出力するためのものである。
【００５９】
ＴＶ受信部１５０は、アンテナ４６を介して、番組の映像、音声、番組情報、及び場合によっては付随する情報を受信するものである。付随する情報としては、例えば放送信号によって映像、音声とともに伝播される文字情報等が挙げられる。なお、これらの情報を含む放送波は、テレビジョン番組を放送する番組放送局により送信される。
【００６０】
本実施の形態において、上記ＴＶ受信部１５０は、主制御部１００によって制御されるものとしているが、これに限られず、専用の制御機構を備えていてもよい。すなわち、デジタル放送受信装置専用として動作する制御部を備えていてもよい。
【００６１】
通信制御部２００は、上記音声処理部１８０、ベースバンド処理部１８２、ＲＦ処理部１８４、回路閉結部１８６、着信信号検出部１８８といった通信に関する処理部を統括的に制御するものである。
【００６２】
通信制御部２００は、上記の通信に関する処理部と、表示部１１４と、リンガ１１６とを制御することにより、ユーザからの要求に応じて電話の呼を発信したり、着呼を処理したりする。これにより、ユーザと他の携帯電話機との間の音声通話を行ったり、文字通信を行ったり、インターネットへの接続を行ったり、ユーザの入力する文字列に対する処理を行ったりする。
【００６３】
なお、通信制御部２００は、実質的にはＣＰＵとソフトウェアとからなる。ソフトウェアは本実施の形態では記憶部１２０に記録されていて、適宜、通信制御部２００に読み出され、実行される。本実施の形態では、詳細は説明しないが、記憶部１２０の内容を書き換えることが可能であり、それによって携帯電話機２０による種々の機能のアップグレード及び追加を行うことができる。
【００６４】
〈１−２．主制御部の詳細について〉
ここで、本発明の第一の実施形態に係る携帯電話機２０が備える主制御部１００の詳細を、図１の機能ブロック図を用いながら説明する。同図は主制御部１００の要部構成を示す図である。
【００６５】
図１に示すように、主制御部１００は、モード判定部１６０と、チャンネル判定部１６２と、番組データ取得部１６４と、番組情報管理部１６６と、番組情報検索部１６８と、表示データ作成部１７０とを備える構成である。なお、上記の機能部は、主制御部１００が所定のプログラム、例えば記憶部１２０に記録されているプログラムを実行することにより実現される。
【００６６】
モード判定部１６０は、操作部１３０による操作が検知された際に、操作内容の解析を行う。そして操作内容が、チャンネル切り替えに関するものか、或いはチャンネルに応じた情報の出力、例えば番組情報の表示等に関するものかの判定を行う。
【００６７】
チャンネル判定部１６２は、操作部１３０による操作に応じて、いずれのチャンネルに対する操作であるかの判定を行う。例えば、予め数字キーとチャンネル番号とを関連付けた情報が記憶部１２０に記録されており、この情報を参照してチャンネルの判定を行う。
【００６８】
番組データ取得部１６４は、操作部１３０による操作が所定のチャンネルへ切り替える操作であると、モード判定部１６０及びチャンネル判定部１６２により判定された場合に、ＴＶ受信部１５０を制御してチャンネルを切り替え、番組データを取得する。取得した番組データに含まれる番組情報は、番組情報管理部１６６に送信する。また、映像データは表示データ作成部１７０に送信する。
【００６９】
番組情報管理部１６６は、番組データ取得部１６４が取得した番組データに含まれる番組情報を記憶部１２０に保存する。また、番組情報検索部１６８からの読み出し指示に基づき、番組情報を記憶部１２０から読み出し、番組情報検索部１６８に送信する。
【００７０】
番組情報検索部１６８は、操作部１３０による操作が所定のチャンネルの番組情報を表示させる操作であると、モード判定部１６０及びチャンネル判定部１６２により判定された場合に、番組情報管理部１６６を通じて読み出した番組情報から所定チャンネルで放送される番組の番組情報を検索し、検索した番組情報を表示データ作成部１７０に送信する。
【００７１】
表示データ作成部１７０は、番組データ取得部１６４及び番組情報検索部１６８から送信された映像データ及び番組情報から表示データを作成し、表示部１１４に送信する。これにより、例えば選択されたチャンネルの番組タイトル等が画面上に表示される。
【００７２】
〈１−３．チャンネル切り替え処理について〉
ここで、本発明の第一の実施形態に係る携帯電話機２０のチャンネル切り替え処理を、図１〜図６を用いながら説明する。
【００７３】
図４は、携帯電話機２０に備えるデジタル放送受信装置のチャンネル切り替え操作に対し、チャンネル切り替え操作を補助する処理手順を説明した動作フローである。本処理は、携帯電話機２０の電源が起動しており、且つ操作部１３０によるチャンネル切り替え操作が受け付け可能な状態において開始可能である。なお、図４における番号は各処理のステップ番号（以下、「Ｓ」という）を示している。
【００７４】
チャンネル切り替え操作を行う際、携帯電話機２０は、まず図５（ａ）に示すように、いずれかの番組が表示されている状態にある。チャンネルを切り替えるために、ユーザが操作部１３０のボタンスイッチに含まれる数字キー（０〜９、＊、＃）に触れると、接触センサ１１２からモード判定部１６０に対して、接触された数字キーに応じたデータが送られる。このデータを受けたモード判定部１６０は、数字キーへのタッチを検出し（Ｓ１００）、さらに、数字キーが押下されたか否かを受信データに基づいて判定する（Ｓ１０２）。
【００７５】
数字キーが押下された場合は（Ｓ１０２においてＹｅｓ）、チャンネル判定部１６２は、押下された数字キーに対応するチャンネルが、現在表示している番組のチャンネルと異なるチャンネルか否かを判定する（Ｓ１０４）。異なるチャンネルであった場合（Ｓ１０４においてＹｅｓ）、番組データ取得部１６４に選択されたチャンネル情報を送信し、ＴＶ受信部１５０を制御して、選択されたチャンネルに切り替える（Ｓ１０６）。
【００７６】
Ｓ１０２において、モード判定部１６０が数字キーの押下でないと判定した場合（Ｓ１０２においてＮｏ）、チャンネル判定部１６２は、タッチされた数字キーに対応するチャンネルが、既にタッチされている数字キーのチャンネルと同じであるか、或いは新たなチャンネルであるか（つまり、接触されている数字キーが変化したか）を判定する（Ｓ１０８）。
【００７７】
新たなチャンネルにタッチしたと判定した場合（Ｓ１０８においてＹｅｓ）、番組情報検索部１６８は、番組情報管理部１６６を通じて、記憶部１２０に記録されている番組情報の中から、タッチされた数字キーのチャンネルの番組情報を検索する。そして、該当する番組情報を表示データ作成部１７０に送信して表示させる（Ｓ１１０）。なお、Ｓ１１０において、選択された数字キーに対応する番組情報が存在しない場合は、番組情報は表示しない。
【００７８】
一方、Ｓ１０８において、既にタッチされている数字キーのチャンネルと同じであると判定した場合（Ｓ１０８においてＮｏ）、チャンネル判定部１６２は、そのチャンネルの番組情報を既に表示しているか否かを判定する（Ｓ１１２）。既に表示中である場合には（Ｓ１１２においてＹｅｓ）、所定時間経過しているか否かを判定する（Ｓ１１４）。
【００７９】
所定時間経過している場合には（Ｓ１１４においてＹｅｓ）、表示中の番組情報の表示を中断する（Ｓ１１６）。そして、ユーザが数字キーから指を離したことを接触センサ１１２が検知することにより、モード判定部１６０はタッチアップが行われたと判定する（Ｓ１１８）。このとき番組情報を表示中であれば（Ｓ１２０においてＹｅｓ）、表示中の番組情報の表示を中断して（Ｓ１２２）、本処理を終了する。
【００８０】
ここで、番組情報を確認しながらチャンネルを切り替える処理の一例について説明する。まず、図６に示すとおり、記憶部１２０において、現在受信可能な番組として「ニュース」、「バラエティＡ」、「プロ野球Ａ ｖｓ Ｂ」、「ドラマＣ」、「Ｄ旅行記」、「英会話」が管理されており、各数字キーと放送局／番組タイトルが対応付けられている。
【００８１】
この例では、現在受信している「Ｄ旅行記」からチャンネルを切り替えて見たい番組（ここでは「プロ野球Ａ ｖｓ Ｂ」）を探すものとする。ただし、ユーザはどのチャンネルでどのような番組を放送しているかを知らないものとする。
【００８２】
まず、図５（ａ）のように、ユーザがいずれかの数字キー（ここでは４）にタッチすると、タッチされた数字キーに対応する番組情報を記憶部１２０から読み出し、図５（ｂ）のように番組タイトル「バラエティＡ」を画面下部に表示する。ユーザは見たい番組でなかった場合、タッチした状態で指を他の数字キーに移動させる、いわゆるドラッグ操作を行う。このとき、順次数字キーに対応した番組タイトルを表示していくが、数字キー５のように、対応する番組がない場合には番組情報の表示は行わない。
【００８３】
図５（ｃ）のように、指を数字キー６まで移動させると「プロ野球Ａ ｖｓ Ｂ」が表示される。この番組を見ようと思った場合、ユーザは数字キー６を押下すれば、実際にチャンネル切り替えが行われ、図５（ｄ）のように「プロ野球Ａ ｖｓ Ｂ」の番組に切り替えられる。
【００８４】
タッチした指を移動させて、現在放送されている番組タイトルを確認しても見たい番組が特に存在しなかった場合、数字キーから指を離す（＝タッチアップ）ことで番組情報の表示が消え、特にチャンネル切り替えは行われない。
【００８５】
以上に説明した本実施形態によれば、指がタッチしている数字キーに対応した番組情報を表示することで、実際にチャンネルを切り替えることなく、現在放送している番組を知ることができる。このため、実際にチャンネルを切り替えて映像を出力して番組を確認する場合と比べ、短時間で見たい番組を探すことができる。
【００８６】
[実施の形態２]
〈２−１．携帯電話機の装置構成について〉
ここで、本発明の第二の実施形態に係る携帯電話機２０の装置構成を、図７を用いながら説明する。
【００８７】
図７は、本実施形態の携帯電話機２０の要部のハードウェア構成を示すブロック図である。実施の形態１の図３と異なる部材として、操作部１３０が接触センサ１１２（＝第１選択手段、第２選択手段）と表示部１１４とを備えている。これにより、本実施形態の操作部１３０は、表示部材と操作部材とが一体型になったタッチパネルとして実現される。
【００８８】
〈２−２．主制御部の詳細について〉
実施の形態１と同内容であるため、ここでは説明を省略する。
【００８９】
〈２−３．チャンネル切り替え処理について〉
ここで、本発明の第二の実施形態に係る携帯電話機２０のチャンネル切り替え処理を、図６〜図９を用いながら説明する。
【００９０】
図８は、携帯電話機２０に含まれるデジタル放送受信装置のチャンネル切り替え操作に対し、チャンネル切り替え操作を補助する処理手順を説明した動作フローである。チャンネル切り替え操作を行う場合、携帯電話機２０は、まず図９（ａ）に示すように、いずれかの番組が表示されている。
【００９１】
チャンネルを切り替えるために、ユーザが操作部１３０のタッチパネルに触れると、接触センサ１１２からモード判定部１６０に対して、接触された領域に応じたデータが送られる。このデータを受けたモード判定部１６０は、タッチパネルへのタッチを検出し（Ｓ２００）、さらに、タッチされた領域が数字アイコン（０〜１２）の領域（以下、「チャンネル領域」という）か否かを受信データに基づいて判定する（Ｓ２０２）。
【００９２】
チャンネル領域にタッチした場合は（Ｓ２０２においてＹｅｓ）、チャンネル判定部１６２は、タッチされたチャンネル領域に対応するチャンネルが、既にタッチされているチャンネル領域のチャンネルと同じであるか、或いは新たなチャンネルであるか（つまり、接触されているチャンネル領域が変化したか）を判定する（Ｓ２０４）。
【００９３】
新たなチャンネル領域にタッチしたと判定した場合（Ｓ２０４においてＹｅｓ）、番組情報検索部１６８は、番組情報管理部１６６を通じて、記憶部１２０に記録されている番組情報の中から、タッチされたチャンネル領域に対応するチャンネルの番組情報を検索する。そして該当する番組情報を、表示データ作成部１７０に送信して表示させる（Ｓ２０６）。なお、Ｓ２０６において、選択された数字アイコンに対応する番組情報が存在しない場合は、番組情報は表示しない。
【００９４】
一方、Ｓ２０４において、既にタッチされているチャンネル領域のチャンネルと同じであると判定した場合（Ｓ２０４においてＮｏ）、チャンネル判定部１６２は、そのチャンネルの番組情報を既に表示しているか否かを判定する（Ｓ２１０）。既に表示中である場合には（Ｓ２１０においてＹｅｓ）、所定時間経過しているか否かを判定し（Ｓ２１２）、所定時間経過している場合には（Ｓ２１２においてＹｅｓ）、表示中の番組情報の表示を中断する（Ｓ２１４）。
【００９５】
そして、ユーザがタッチパネルから指を離したことを接触センサ１１２が検知することにより、モード判定部１６０はタッチアップが行われたと判定する（Ｓ２１８）。このとき番組情報を表示中であれば（Ｓ２２０においてＹｅｓ）、表示中の番組情報の表示を中断する（Ｓ２２２）。
【００９６】
次にチャンネル判定部１６２は、タッチアップした位置がチャンネル領域であり、現在表示中のチャンネルと異なるか否かを判定する（Ｓ２２４）。異なるチャンネルであった場合（Ｓ２１４においてＹｅｓ）、チャンネル判定部１６２は番組データ取得部１６４に対し、選択されたチャンネル情報を送信し、ＴＶ受信部１５０を制御して、選択されたチャンネルに切り替える（Ｓ２２６）。Ｓ２２４において、チャンネルが同じであったり、チャンネル領域以外の位置でタッチアップがなされた場合（Ｓ２２４においてＮｏ）、チャンネル切り替えは行わず、本処理を終了する。
【００９７】
ここで、本実施形態における、番組情報を確認しながらチャンネルを切り替える処理の一例について説明する。実施の形態１と同様、現在受信可能な番組が図６の状態にあり、現在受信している番組が「Ｄ旅行記」であるとする。この状態からチャンネルを切り替えて、見たい番組（ここでは「プロ野球Ａ ｖｓ Ｂ」）を探すものとする。
【００９８】
まず、図９（ａ）のように、いずれかの数字アイコン（ここでは４）にタッチすると、タッチされた数字アイコンに対応する番組情報を記憶部１２０から読み出し、図９（ｂ）のように番組タイトル「バラエティＡ」を画面下部に表示する。ユーザは見たい番組でなかった場合、タッチした状態で指を他の数字アイコンに移動させる。このとき、順次数字アイコンに対応した番組タイトルを表示していくが、数字アイコン５のように、対応する番組がない場合には番組情報の表示は行わない。
【００９９】
図９（ｃ）のように、指を数字アイコン６まで移動させると「プロ野球Ａ ｖｓ Ｂ」が表示される。この番組を見ようと思った場合、ユーザは数字アイコン６の位置でタッチアップすれば、チャンネル切り替えが行われ、図９（ｄ）のように「プロ野球Ａ ｖｓ Ｂ」の番組が表示される。
【０１００】
タッチした指を接触させながら移動させて、現在放送されている番組タイトルを確認しても見たい番組が特に存在しなかった場合、数字アイコン以外の位置から指を離すことで、番組情報の表示が消え、チャンネル切り替えも行われない。
【０１０１】
以上に説明した本実施形態によれば、指がタッチしている数字アイコンに対応した番組情報を表示することで、チャンネルを切り替えることなく、現在放送している番組のタイトル等を知ることができる。このため、チャンネルを切り替えて映像を出力して番組を確認する場合に比べ、短時間で見たい番組を探すことができる。
【０１０２】
[実施の形態３]
〈３−１．携帯電話機の装置構成について〉
ここで、本発明の第三の実施形態に係る携帯電話機２０の装置構成を、図１０を用いながら説明する。
【０１０３】
図１０は、本実施形態の携帯電話機２０の要部のハードウェア構成を示すブロック図である。実施の形態１の図３と異なる部材として、操作部１３０が操作ボタン１１０（＝第１選択手段、第２選択手段）のみを備えている。つまり、接触センサ１１２を用いることなく、実施可能である
【０１０４】
〈３−２．主制御部の詳細について〉
実施の形態１と同内容であるため、ここでは説明を省略する。
【０１０５】
〈３−３．チャンネル切り替え処理について〉
ここで、本発明の第三の実施形態に係る携帯電話機２０のチャンネル切り替え処理を、図６、及び図１０〜図１２を用いながら説明する。
【０１０６】
図１１は、携帯電話機２０に含まれるデジタル放送受信装置のチャンネル切り替え操作に対し、チャンネル切り替え操作を補助する処理手順を説明した動作フローである。チャンネル切り替え操作を行う場合、携帯電話機２０は、まず図１２（ａ）に示すように、いずれかの番組が表示されている。
【０１０７】
チャンネルを切り替えるために、ユーザが操作部１３０のボタンスイッチに含まれる数字キー（０〜９、＊、＃）を押すと、操作ボタン１１０からモード判定部１６０に対して、押下されたボタンに応じたデータが送られる。このデータを受けたモード判定部１６０は、数字キーの押下を検出し（Ｓ３００）、さらに、数字キーが長押しされたか否かを受信したデータから判定する（Ｓ３０２）。
【０１０８】
数字キーが長押しされた場合は（Ｓ３０２においてＹｅｓ）、チャンネル判定部１６２は、押下された数字キーに対応するチャンネルが、現在表示している番組のチャンネルと異なるチャンネルか否かを判定する（Ｓ３０４）。異なるチャンネルであった場合（Ｓ３０４においてＹｅｓ）、番組データ取得部１６４に選択されたチャンネル情報を送信し、ＴＶ受信部１５０を制御して、選択されたチャンネルに切り替える（Ｓ３０６）。
【０１０９】
Ｓ３０２において、モード判定部１６０が数字キーの長押しでないと判定した場合（Ｓ３０２においてＮｏ）、チャンネル判定部１６２は、押下された数字キーに対応するチャンネルが、既に番組情報を表示しているチャンネルと同じであるか、或いは新たなチャンネルであるかを判定する（Ｓ３０８）。
【０１１０】
新たなチャンネルであると判定した場合（Ｓ３０８においてＹｅｓ）、番組情報検索部１６８は、番組情報管理部１６６を通じて、記憶部１２０に記録されている番組情報の中から、押下された数字キーのチャンネルの番組情報を検索する。そして、該当する番組情報を表示データ作成部１７０に送信して表示させる（Ｓ３１０）。なお、Ｓ３１０において、押下された数字キーに対応する番組情報が存在しない場合は、番組情報は表示しない。
【０１１１】
そして、ユーザが数字キーから指を離すことにより、モード判定部１６０が数字キーのキーアップ、つまり押下状態の解除を検出する（Ｓ３１２）。このとき番組情報を表示中であれば（Ｓ３１４においてＹｅｓ）、表示中の番組情報の表示を中断して（Ｓ３１６）、本処理を終了する。
【０１１２】
なお、上記説明では、番組情報の表示とチャンネル切り替えとの区別を、数字キーの長押しか否かにより判定しているが、数字キーがワンクリックされたか、或いはダブルクリックされたかによって判定するようにしてもよい。例えば、ワンクリックにより番組情報を表示し、ダブルクリックによりチャンネル切り替えを行う形態でもよい。
【０１１３】
ここで、本実施形態における、番組情報を確認しながらチャンネルを切り替える処理の一例について説明する。実施の形態１と同様、現在受信可能な番組が図６の状態にあり、現在受信している番組が「Ｄ旅行記」であるとする。この状態からチャンネルを切り替えて、見たい番組（ここでは「プロ野球Ａ ｖｓ Ｂ」）を探すものとする。
【０１１４】
まず、図１２（ａ）のように、いずれかの数字キー（ここでは４）が押下されると、押下された数字キーに対応する番組情報を記憶部１２０から読み出し、図１２（ｂ）のように番組タイトル「バラエティＡ」を画面下部に表示する。ユーザは見たい番組でなかった場合、すぐに他の数字キーを押下し直す。このとき、順次数字キーに対応した番組タイトルを表示していくが、数字キー５のように、対応する番組がない場合には番組情報の表示は行わない。
【０１１５】
図１２（ｃ）のように、数字キー６を押下すると「プロ野球Ａ ｖｓ Ｂ」が表示される。この番組を見ようと思った場合、ユーザは数字キー６を長押しすれば、チャンネル切り替えが行われ、図１２（ｄ）のように「プロ野球Ａ ｖｓ Ｂ」の番組が表示される。
【０１１６】
なお、数字キーを順に押して、現在放送されている番組タイトルを確認しても見たい番組が特に存在しなかった場合、長押しを行わない限り、しばらくすると番組情報の表示が消え、チャンネル切り替えも行われない。
【０１１７】
以上に説明した本実施形態によれば、押下した数字キーに対応した番組情報を表示することで、チャンネルを切り替えることなく、現在放送している番組のタイトル等を知ることができる。このため、チャンネルを切り替えて映像を出力して番組を確認する場合と比較して、短時間で見たい番組を探すことができる。
【０１１８】
［その他の実施の形態］
以上、好ましい実施の形態及び実施例を挙げて本発明を説明したが、本発明は上述した各実施形態に限定されるものではなく、請求項に示した範囲で種々の変更が可能である。また、異なる実施形態にそれぞれ開示された技術的手段を適宜組み合わせて得られる実施形態についても、本発明の技術的範囲に含まれる。
【０１１９】
従って本発明は、以下の形態にも適用可能である。
（Ａ）上記の実施形態では、番組情報の取得方法については特に説明していないが、番組情報は、放送波からチャンネルの番組情報を取得してもよいし、アンテナ４４等により無線通信網を介してチャンネルの番組情報を取得してもよい。また、番組情報は取得に時間がかかるので、本処理の実施タイミングとは別に予め定期的に取得し、記憶部１２０のデータベースを更新するようにしておくことが望ましい。
【０１２０】
（Ｂ）上記の実施形態では、番組情報の表示方法については、図５に示すように表示中の放送映像の上に番組情報を重畳表示するようにしているが、この重畳表示映像を半透明で表示するようにしてもよい。また、番組情報の例として番組タイトルを表示しているが、番組情報はこれに限定されるものではない。
【０１２１】
（Ｃ）上記の実施形態では、デジタル放送受信装置が携帯電話機２０に内蔵されているが、本発明のデジタル放送受信装置はこれに限られるものではなく、携帯電話機以外の無線通信端末装置、例えば、ＴＶ機能を持つノートパソコンやＰＤＡ等であってもよい。
【０１２２】
（Ｄ）上記の実施形態では、携帯電話機２０を構成する各部材が、ＣＰＵ等の演算手段がＲＯＭやＲＡＭ等の記録媒体に格納されたプログラムコードを実行することで実現される機能ブロックである場合を例にして説明した。従って、上述した実施形態に係る携帯電話機２０は、各機能を実現する制御プログラムの命令を実行するＣＰＵ、上記プログラムを格納したＲＯＭ、上記プログラムを展開するＲＡＭ、上記プログラム及び各種データを格納するメモリ等の記録装置（記録媒体）等を備えている。
【０１２３】
（Ｅ）上記に関連して、携帯電話機２０を構成する各部材と同様の処理を行うハードウェア、例えば電子回路等で、携帯電話機２０を実現してもよい。また、処理の一部を行うハードウェアと、当該ハードウェアの制御や残余の処理を行うプログラムコードを実行する上記演算手段とを組み合わせても携帯電話機２０を実現することができる。さらに、上記各部材のうち、ハードウェアとして説明した部材であっても、処理の一部を行うハードウェアと、当該ハードウェアの制御や残余の処理を行うプログラムコードを実行する上記演算手段とを組み合わせても実現することができる。なお、上記演算手段は、単体であってもよいし、装置内部のバスや種々の通信路を介して接続された複数の演算手段が共同してプログラムコードを実行してもよい。
【０１２４】
上記演算手段によって直接実行可能なプログラムコード自体、または、後述する解凍等の処理によってプログラムコードを生成可能なデータとしてのプログラムは、当該プログラム（プログラムコードまたは上記データ）を記録媒体に格納し、当該記録媒体を配布したり、或いは、上記プログラムを、有線または無線の通信路を介して伝送するための通信手段で送信したりして、携帯電話機等の携帯通信端末装置に配布され、上記演算手段が記録媒体に格納されたプログラムまたは受信したプログラムを実行することによって、携帯通信端末装置が実現される。
【０１２５】
通信路を介して伝送する場合、通信路を構成する各伝送媒体が、プログラムを示す信号列を伝搬し合うことによって、当該通信路を介して、上記プログラムが伝送される。この場合、プログラムは、上記伝送媒体または通信経路を構成する装置において、流動的に坦持される。また、信号列を伝送する際、送信装置が、プログラムを示す信号列により搬送波を変調することによって、上記信号列を搬送波に重畳してもよい。
【０１２６】
この場合、受信装置が搬送波を復調することによって信号列が復元される。一方、上記信号列を伝送する際、送信装置が、デジタルデータ列としての信号列をパケット分割して伝送してもよい。この場合、受信装置は、受信したパケット群を連結して、上記信号列を復元する。また、送信装置が、信号列を送信する際、時分割／周波数分割／符号分割等の方法で、信号列を他の信号列と多重化して伝送してもよい。この場合、受信装置は、多重化された信号列から、個々の信号列を抽出して復元する。いずれの場合であっても、通信路を介してプログラムを伝送できれば、同様の効果が得られる。
【０１２７】
（Ｆ）上記に関連して、コンピュータが、モデム等の通信機器を備えてインターネットを含む通信ネットワークと接続できる場合、上記通信ネットワークからダウンロードするためのダウンロードプログラムは、予め本体装置に格納されていてもよいし、或いは、別の記録媒体からインストールされてもよい。
【０１２８】
（Ｇ）本発明を実施するためのプログラムを配付する際の記録媒体は、取外し可能である方が好ましいが、プログラムを配付した後の記録媒体は、取外し可能か否かを問わない。また、上記記録媒体は、プログラムが記録されていれば、書き換え（書き込み）可能か否か、揮発性か否か、記録方法及び形状を問わない。
【０１２９】
記録媒体の一例としては、磁気テープやカセットテープ等のテープ、或いは、フロッピー（登録商標）ディスクやハードディスク等の磁気ディスク、または、ＣＤ−ＲＯＭ、ＣＤ−Ｒや光磁気ディスク（ＭＯ）、ミニディスク（ＭＤ）やデジタルビデオディスク（デジタル多用途ディスク）等のディスクが挙げられる。
【０１３０】
また、記録媒体は、ＩＣ（集積回路）カードや光カードのようなカード、或いは、マスクＲＯＭやＥＰＲＯＭ（紫外線消去型ＲＯＭ）、ＥＥＰＲＯＭ（電気的消去型ＲＯＭ）またはフラッシュＲＯＭ等のような半導体メモリであってもよい。或いは、ＣＰＵ等の演算手段内に形成されたメモリであってもよい。また、上記記録媒体には、上記プログラムだけではなく、当該プログラムによってアクセスされるデータや他の任意のデータを記録していてもよい。
【０１３１】
（Ｈ）本発明を実施するためのプログラムのプログラムコードは、上記各処理の全手順を上記演算手段へ指示するコードであってもよいし、所定の手順で呼び出すことで、上記各処理の一部または全部を実行可能な基本プログラム（例えば、オペレーティングシステムやライブラリ等）が既に存在していれば、当該基本プログラムの呼び出しを上記演算手段へ指示するコードやポインタ等で、上記全手順の一部または全部を置き換えてもよい。
【０１３２】
（Ｉ）上記記録媒体にプログラムを格納する際の形式は、例えば、実メモリに配置した状態のように、演算手段がアクセスして実行可能な格納形式であってもよいし、実メモリに配置する前で、演算手段が常時アクセス可能なローカルな記録媒体（例えば、実メモリやハードディスク等）にインストールした後の格納形式、或いは、ネットワークや搬送可能な記録媒体等から上記ローカルな記録媒体にインストールする前の格納形式等であってもよい。
【０１３３】
（Ｊ）本発明を実施するためのプログラムは、コンパイル後のオブジェクトコードに限るものではなく、ソースコードや、インタプリトまたはコンパイルの途中で生成される中間コードとして格納されていてもよい。いずれの場合であっても、圧縮された情報の解凍、符号化された情報の復号、インタプリト、コンパイル、リンク、または、実メモリへの配置等の処理、或いは、各処理の組み合わせによって、上記演算手段が実行可能な形式に変換可能であれば、プログラムを記録媒体に格納する際の形式に拘わらず、同様の効果を得ることができる。
【０１３４】
例えば、まず記録媒体から読み出されたプログラムコードが、コンピュータに挿入された機能拡張ボードやコンピュータに接続された機能拡張ユニットに備わるメモリに書き込まれる。その後、プログラムコードの指示に基づき、その機能拡張ボードや機能拡張ユニットに備わるＣＰＵ等の演算手段が実際の処理の一部または全部を行い、その処理によって、上述した実施の形態の各機能を実現してもよい。
【図面の簡単な説明】
【０１３５】
【図１】本発明の一実施形態に係るデジタル放送受信装置を備えた携帯電話機の主制御部の要部構成を示すブロック図である。
【図２】本発明の一実施形態に係る携帯電話機の外観を示す図である。
【図３】本発明の第一の実施形態に係るデジタル放送受信装置を備えた携帯電話機の構成を示すブロック図である。
【図４】本発明の第一の実施形態に係るチャンネル切り替え処理の処理手順を示すフロー図である。
【図５】本発明の第一の実施形態に係る携帯電話機において、操作に応じて表示制御を行ったときの表示の変化を示す画面図である。
【図６】本発明の一実施形態に係るデジタル放送受信装置の記録領域における、チャンネルと番組情報とを対応付けたテーブルの例を示すテーブル図である。
【図７】本発明の第二の実施形態に係るデジタル放送受信装置を備えた携帯電話機の構成を示すブロック図である。
【図８】本発明の第二の実施形態に係るチャンネル切り替え処理の処理手順を示すフロー図である。
【図９】本発明の第二の実施形態に係る携帯電話機において、操作に応じて表示制御を行ったときの表示の変化を示す画面図である。
【図１０】本発明の第三の実施形態に係るデジタル放送受信装置を備えた携帯電話機の構成を示すブロック図である。
【図１１】本発明の第三の実施形態に係るチャンネル切り替え処理の処理手順を示すフロー図である。
【図１２】本発明の第三の実施形態に係る携帯電話機において、操作に応じて表示制御を行ったときの表示の変化を示す画面図である。
【符号の説明】
【０１３６】
２０      携帯電話機（デジタル放送受信装置、携帯電話装置）
４４      アンテナ（無線通信手段）
４６      アンテナ（受信手段）
１００      主制御部（表示制御部、チャンネル選択手段）
１１０      操作ボタン（ボタンスイッチ）
１１２      接触センサ（タッチセンサ）
１１４      表示部（表示手段）
１２０      記憶部（記録媒体）
１３０      操作部（チャンネル選択手段）
１５０      ＴＶ受信部（受信手段）
１６０      モード判定部
１６２      チャンネル判定部
１６４      番組データ取得部（番組情報取得手段）
１６６      番組情報管理部
１６８      番組情報検索部
２００      通信制御部（無線通信手段）
【図１】
2010028449.tif 000003
【図２】
2010028449.tif 000004
【図３】
2010028449.tif 000005
【図４】
2010028449.tif 000006
【図６】
2010028449.tif 000007
【図７】
2010028449.tif 000008
【図８】
2010028449.tif 000009
【図１０】
2010028449.tif 000010
【図１１】
2010028449.tif 000011
【図５】
2010028449.tif 000012
【図９】
2010028449.tif 000013
【図１２】
2010028449.tif 000014